(57)【特許請求の範囲】
【請求項１】
移動体通信端末に信号を送信し前記移動体通信端末からの信号を受信する送受信部（１２）を有し、前記移動体通信端末との通信条件及びメッセージの送受信の手順がシーケンスとして記述された試験シナリオに基づいて、前記移動体通信端末との通信試験を行う移動体通信端末試験装置であって、
前記試験シナリオに基づいて、前記移動体通信端末に送るための第１のメッセージを生成し、また、前記移動体通信端末からの第２のメッセージを処理して前記シーケンスを実行するシーケンス実行部（１０）と、
前記第１のメッセージを含む通信データに通信規格に対応した複数レイヤの通信プロトコル処理を施し、前記送受信部に送るとともに、前記第２のメッセージを含む前記通信データに複数レイヤの通信プロトコル処理を施して、前記シーケンス実行部に送るレイヤ処理部（１１）と、
前記レイヤ処理部の各レイヤで交わされる前記通信データを受け、該通信データに基づいてログデータを生成するログデータ生成部（１３０）を有するログデータ処理部（１３）と、
前記ログデータ生成部による前記ログデータを時系列的に記憶するログデータ記憶部（１４）と、
前記送受信部が受信した信号に基づく波形データを時系列的に記憶する波形データ記憶部（１５）と、
前記波形データ記憶部に記憶された前記波形データを解析する波形データ解析部（１６）と、
前記波形データ解析部の解析対象の前記波形データに対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定する上位レイヤログデータ特定部（１７００）と、
前記上位レイヤログデータ特定部により特定された前記ログデータ及び前記波形データ解析部による解析結果をともに表示部（１８）に表示させる表示処理部（１７）と
を有することを特徴とする移動体通信端末試験装置。
【請求項２】
前記波形データ解析部は、前記波形データを解析して異常の有無を判断し、
前記表示処理部は、前記波形データ解析部により異常と判断された前記波形データに対応する前記ログデータ及び前記波形データ解析部による解析結果をともに前記表示部に表示させる
ことを特徴とする請求項１に記載の移動体通信端末試験装置。
【請求項３】
前記上位レイヤログデータ特定部は、前記ログデータ記憶部が記憶した前記ログデータから、特定したログデータに対して少なくとも時系列的に前後のいずれか一方の他のデータを読み出し、
前記表示処理部は、前記上位レイヤログデータ特定部により特定された前記ログデータと、前記他のログデータとを異なる態様で前記表示部に表示させる
ことを特徴とする請求項１に記載の移動体通信端末試験装置。
【請求項４】
前記ログデータ処理部は、時刻情報を生成する時刻生成部（１３１）を有し、
前記ログデータ生成部は、前記時刻生成部による前記時刻情報を含む前記ログデータを生成し、
前記波形データ記憶部は、前記時刻生成部から前記時刻情報を受け該時刻情報を前記波形データに付加して前記波形データを記憶し、
前記波形データ解析部は、波形データの時刻情報を前記波形データ記憶部から読み出す時刻特定部（１６２）を有し、
前記上位レイヤログデータ特定部は、前記時刻特定部からの時刻情報に基づいて前記波形データ解析部からの解析結果に対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定する
ことを特徴とする請求項１に記載の移動体通信端末試験装置。
【請求項５】
前記時刻生成部は、前記通信試験の開始時からの経過時刻を前記時刻情報として生成し、
前記波形データ記憶部は、一定の時間間隔毎にサンプリングされた前記波形データをアドレス順に記憶し、
前記時刻特定部は、前記波形データの前記時刻情報と前記時間間隔とに基づいて、前記波形データが前記波形データ記憶部に記憶されたアドレスを決定し、該アドレスの波形データを読み出す
ことを特徴とする請求項４に記載の移動体通信端末試験装置。
【請求項６】
前記波形データ解析部は、前記ログデータ記憶部に記憶された前記ログデータに含まれる前記通信条件のうち少なくとも一部を参照して前記波形データ解析部による解析の解析条件を設定する解析条件設定部（１６０）を有し、
前記波形データ解析部は、前記解析条件設定部による前記解析条件を受け、該解析条件に対応する解析を行う
ことを特徴とする請求項１に記載の移動体通信端末試験装置。
【請求項７】
前記解析条件設定部は、前記ログデータに含まれる前記通信条件のうち使用帯域情報に基づいて前記解析条件を設定し、
前記波形データ解析部は、前記使用帯域情報に基づいて設定された前記解析条件を受け、前記波形データをスペクトラム解析し、当該波形データの少なくとも一部をマスクして解析するスプリアス検出を行う
ことを特徴とする請求項６に記載の移動体通信端末試験装置。
【請求項８】
前記解析条件設定部は、前記ログデータに含まれる前記通信条件のうち信号レベルに基づいて前記解析条件としての許容範囲を設定し、
前記波形データ解析部は、前記信号レベルに基づいて設定された前記解析条件を受け、前記波形データをスペクトラム解析し、
前記表示部は、前記スペクトラム解析の結果とともに前記許容範囲を表示する
ことを特徴とする請求項６に記載の移動体通信端末試験装置。
【請求項９】
前記解析条件設定部は、前記ログデータに含まれる前記通信条件のうち変調方式情報に基づいて前記解析条件を設定し、
前記波形データ解析部は、前記変調方式情報に基づいて設定された前記解析条件を受け、前記波形データからＥＶＭを求める
ことを特徴とする請求項６に記載の移動体通信端末試験装置。
【請求項１０】
移動体通信端末との通信条件及びメッセージの送受信の手順がシーケンスとして記述された試験シナリオと通信規格に対応した複数レイヤの通信プロトコルとに基づいて、前記移動体通信端末との通信試験を行う移動体通信端末試験方法であって、
波形データ記憶部が、前記移動体通信端末から受信された信号に基づく波形データを時系列的に記憶するステップと、
ログデータ記憶部が、前記複数レイヤの各レイヤで交わされ前記通信条件及び前記メッセージを含む通信データに基づいて生成されたログデータを時系列的に記憶するステップと、
波形データ解析部が、記憶された前記波形データを読み出し解析するステップと、
上位レイヤログデータ特定部が、解析対象の前記波形データに対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定するステップと、
表示部が、特定された前記ログデータ及び前記解析による解析結果をともに表示するステップと
を有することを特徴とする移動体通信端末試験方法。
【発明の詳細な説明】
【技術分野】
【０００１】
本発明は、移動体通信端末の性能評価の試験を行うため、移動体通信端末との通信を行う移動体通信端末試験装置に関する。
【背景技術】
【０００２】
移動体通信端末試験装置は、移動体通信端末に信号を送信し移動体通信端末からの信号を受信する送受信部を有し、疑似基地局として移動体通信端末との通信を行うことによって移動体通信端末を試験する装置である。
【０００３】
移動体通信端末試験装置は、試験シナリオを予め記憶し、この試験シナリオに基づく試験を行う。試験シナリオには、メッセージの送受信の手順を表すシーケンスや移動体通信端末との通信条件が含まれる。
【０００４】
一般的に、このメッセージの送受信は規定の通信プロトコルに従った処理が行われる。通信プロトコルは、通信規格によって規定され、通常階層化された通信手順としてその規約が定められている。例えば、ＰＨＹ層（Ｐｈｙｓｉｃａｌ  Ｌａｙｅｒ：物理層）、ＭＡＣ層（Ｍｅｄｉａ  Ａｃｃｅｓｓ  Ｃｏｎｔｒｏｌ  Ｌａｙｅｒ：媒体アクセス制御層）、ＲＬＣ層（Ｒａｄｉｏ  Ｌｉｎｋ  Ｃｏｎｔｒｏｌ  Ｌａｙｅｒ：無線リンク制御層）、ＰＤＣＰ層（Ｐａｃｋｅｔ  Ｄａｔａ  Ｃｏｎｖｅｒｇｅｎｃｅ  Ｐｒｏｔｏｃｏｌ  Ｌａｙｅｒ：パケット・データ収斂プロトコル層）、ＲＲＣ層（Ｒａｄｉｏ  Ｒｅｓｏｕｒｃｅ  Ｃｏｎｔｒｏｌ  Ｌａｙｅｒ：無線リソース制御層）として階層化されている。
【０００５】
移動体通信端末におけるシーケンス動作を移動体通信端末試験装置により試験することがある。このとき、上記各階層でのログデータを取得しておく。試験者は、移動体通信端末試験装置が取得していたログデータを表示させる。そして、試験者は表示されたログデータを確認して異常の有無を確認する。
【０００６】
一方で、移動体通信端末からの信号を受信して得られた波形データを基に例えばスプリアス検出、ＥＶＭ（Ｅｒｒｏｒ  Ｖｅｃｔｏｒ  Ｍａｇｎｉｔｕｄｅ）測定、信号レベル測定等を行う解析装置がある。試験者は各種の解析をさせ、異常を検出させる。
【０００７】
そして、波形データの特性と移動体通信端末のシーケンス動作との関係を調べるには、上述した二つの装置（試験）を個別に用いて、試験者は、ログデータから異常の有無を確認し、異常有りと思われるログデータに対応する波形データを自ら探し、当該ログデータに対応する波形データを解析させ、異常の有無を確認していた。
【先行技術文献】
【特許文献】
【０００８】
【特許文献１】特開２００９−１４７６４０号公報
【特許文献２】特開２００６−０６０４７７号公報
【発明の概要】
【発明が解決しようとする課題】
【０００９】
従来、上述した波形データ及びログデータはそれぞれ個別に取得され解析される構成なので、波形データとログデータとの相互関係を調べることが容易でなかった。さらに、移動体通信端末試験はその試験項目が多岐に亘るので、波形データ及びログデータは膨大な数となる。従って、波形データから異常が検出されたとき、当該波形データに対応するログデータを探し、異常の有無を確認するには多くの労力を必要とした。
【００１０】
本発明は、移動体通信端末試験において、容易に波形データに対応するログデータを特定する移動体通信端末試験装置を提供することを目的とする。
【課題を解決するための手段】
【００１１】
上記目的を達成するために、請求項１に記載の発明は、移動体通信端末に信号を送信し前記移動体通信端末からの信号を受信する送受信部（１２）を有し、前記移動体通信端末との通信条件及びメッセージの送受信の手順がシーケンスとして記述された試験シナリオに基づいて、前記移動体通信端末との通信試験を行う移動体通信端末試験装置であって、前記試験シナリオに基づいて、前記移動体通信端末に送るための第１のメッセージを生成し、また、前記移動体通信端末からの第２のメッセージを処理して前記シーケンスを実行するシーケンス実行部（１０）と、前記第１のメッセージを含む通信データに通信規格に対応した複数レイヤの通信プロトコル処理を施し、前記送受信部に送るとともに、前記第２のメッセージを含む前記通信データに複数レイヤの通信プロトコル処理を施して、前記シーケンス実行部に送るレイヤ処理部（１１）と、前記レイヤ処理部の各レイヤで交わされる前記通信データを受け、該通信データに基づいてログデータを生成するログデータ生成部（１３０）を有するログデータ処理部（１３）と、前記ログデータ生成部による前記ログデータを時系列的に記憶するログデータ記憶部（１４）と、前記送受信部が受信した信号に基づく波形データを時系列的に記憶する波形データ記憶部（１５）と、前記波形データ記憶部に記憶された前記波形データを解析する波形データ解析部（１６）と、前記波形データ解析部の解析対象の前記波形データに対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定する上位レイヤログデータ特定部（１７００）と、前記上位レイヤログデータ特定部により特定された前記ログデータ及び前記波形データ解析部による解析結果をともに表示部（１８）に表示させる表示処理部（１７）とを有することを特徴とする移動体通信端末試験装置である。
また、請求項２に記載の発明は、請求項１に記載の移動体通信端末試験装置であって、前記波形データ解析部は、前記波形データを解析して異常の有無を判断し、前記表示制御部は、前記波形データ解析部により異常と判断された前記波形データに対応する前記ログデータ及び前記波形データ解析部による解析結果をともに前記表示部に表示させることを特徴とする。
また、請求項３に記載の発明は、請求項１に記載の移動体通信端末試験装置であって、前記上位レイヤログデータ特定部は、前記記憶部が記憶した前記ログ情報から、特定したログデータに対して少なくとも時系列的に前後のいずれか一方の他のデータを読み出し、前記表示処理部は、前記上位レイヤログデータ特定部により特定された前記ログデータと、前記他のログデータとを異なる態様で前記表示部に表示させることを特徴とする。
また、請求項４に記載の発明は、請求項１に記載の移動体通信端末試験装置であって、前記ログデータ処理部は、時刻情報を生成する時刻生成部（１３１）を有し、前記ログデータ生成部は、前記時刻生成部による前記時刻情報を含む前記ログデータを生成し、前記波形データ記憶部は、前記時刻生成部から前記時刻情報を受け該時刻情報を前記波形データに付加して前記波形データを記憶し、前記波形データ解析部は、波形データの時刻情報を前記波形データ記憶部から読み出す時刻特定部（１６２）を有し、前記上位レイヤログデータ特定部は、前記時刻特定部からの時刻情報に基づいて前記波形データ解析部からの解析結果に対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定することを特徴とする。
また、請求項５に記載の発明は、請求項４に記載の移動体通信端末試験装置であって、前記時刻生成部は、前記通信試験の開始時からの経過時刻を前記時刻情報として生成し、前記波形データ記憶部は、一定の時間間隔毎にサンプリングされた前記波形データをアドレス順に記憶し、前記時刻特定部は、前記波形データの前記時刻情報と前記時間間隔とに基づいて、前記波形データが前記波形データ記憶部に記憶されたアドレスを決定し、該アドレスの波形データを読み出すことを特徴とする。
また、請求項６に記載の発明は、請求項１に記載の移動体通信端末試験装置であって、前記波形データ解析部は、前記ログデータ記憶部に記憶された前記ログデータに含まれる前記通信条件のうち少なくとも一部を参照して前記波形データ解析部による解析の解析条件を設定する解析条件設定部（１６０）を有し、前記波形データ解析部は、前記解析条件設定部による前記解析条件を受け、該解析条件に対応する解析を行うことを特徴とする。
また、請求項７に記載の発明は、請求項６に記載の移動体通信端末試験装置であって、前記解析条件設定部は、前記ログデータに含まれる前記通信条件のうち使用帯域情報に基づいて前記解析条件を設定し、前記波形データ解析部は、前記使用帯域情報に基づいて設定された前記解析条件を受け、前記波形データをスペクトラム解析し、当該波形データの少なくとも一部をマスクして解析するスプリアス検出を行うことを特徴とする。
また、請求項８に記載の発明は、請求項６に記載の移動体通信端末試験装置であって、前記解析条件設定部は、前記ログデータに含まれる前記通信条件のうち信号レベルに基づいて前記解析条件としての許容範囲を設定し、前記波形データ解析部は、前記信号レベルに基づいて設定された前記解析条件を受け、前記波形データをスペクトラム解析し、前記表示部は、前記スペクトラム解析の結果とともに前記許容範囲を表示することを特徴とする。
また、請求項９に記載の発明は、請求項６に記載の移動体通信端末試験装置であって、前記解析条件設定部は、前記ログデータに含まれる前記通信条件のうち変調方式情報に基づいて前記解析条件を設定し、前記波形データ解析部は、前記変調方式情報に基づいて設定された前記解析条件を受け、前記波形データからＥＶＭを求めることを特徴とする。
また、請求項１０に記載の発明は、移動体通信端末との通信条件及びメッセージの送受信の手順がシーケンスとして記述された試験シナリオと通信規格に対応した複数レイヤの通信プロトコルとに基づいて、前記移動体通信端末との通信試験を行う移動体通信端末試験方法であって、波形データ記憶部が、前記移動体通信端末から受信された信号に基づく波形データを時系列的に記憶するステップと、ログデータ記憶部が、前記複数レイヤの各レイヤで交わされ前記通信条件及び前記メッセージを含む通信データに基づいて生成されたログデータを時系列的に記憶するステップと、波形データ解析部が、記憶された前記波形データを読み出し解析するステップと、上位レイヤログデータ特定部が、解析対象の前記波形データに対応する最下層レイヤのログデータを前記ログデータ記憶部から読み出し、読み出した前記最下層レイヤのログデータに対応する上位レイヤのログデータを前記ログデータ記憶部に記憶されたログデータのうちから特定するステップと、表示部が、特定された前記ログデータ及び前記解析による解析結果をともに表示するステップとを有することを特徴とする移動体通信端末試験方法である。
【発明の効果】
【００１２】
本発明によれば、移動体通信端末試験装置は、波形データ及びログデータを時系列的に記憶する。そして、波形データから異常が検出されたとき、当該波形データに対応するログデータを特定し、異常が検出された波形データの解析結果と特定されたログデータとをともに表示する。それにより、容易に波形データに対応するログデータを特定する移動体通信端末試験装置を提供することができる。
【図面の簡単な説明】
【００１３】
【図１】本発明の実施形態に係る移動体通信端末試験装置の構成を表すブロック図。
【図２】本発明の実施形態に係る移動体通信端末試験装置の概略を表す模式図。
【図３】本発明の実施形態に係る移動体通信端末試験装置の概略を表す模式図。
【図４】本発明の実施形態に係る移動体通信端末試験装置の動作を表すフローチャート。
【図５】本発明の実施形態に係る移動体通信端末試験装置の動作を表すフローチャート。
【図６】本発明の実施形態に係る移動体通信端末試験装置の動作を表すフローチャート。
【図７】本発明の実施形態に係る移動体通信端末試験装置の動作を表すフローチャート。
【図８】本発明の実施形態に係る移動体通信端末試験装置の動作を表すフローチャート。
【図９】本発明の実施形態に係る移動体通信端末試験装置の動作を表すフローチャート。
【図１０】本発明の実施形態に係る移動体通信端末試験装置の動作を表すフローチャート。
【発明を実施するための形態】
【００１４】
［構成］
図１を参照して、本発明の実施形態に係る移動体通信端末試験装置１の構成を説明する。移動体通信端末試験装置１は、疑似基地局の機能を有して移動体通信端末２を試験する。移動体通信端末試験装置１は、試験シナリオ（移動体通信端末２との通信条件及びメッセージの送受信の手順がシーケンスとして記述されたもの）を記憶する。移動体通信端末試験装置１は、この試験シナリオに従って動作することによって、移動体通信端末２とＲＦ（Ｒａｄｉｏ  Ｆｒｅｑｕｅｎｓｙ）信号をやりとりして通信を行う。移動体通信端末試験装置１は、シーケンス実行部１０と、レイヤ処理部１１と、送受信部１２と、ログデータ処理部１３と、ログデータ記憶部１４と、波形データ記憶部１５と、波形データ解析部１６と、表示処理部１７と、表示部１８と、操作部１９とを有する。
【００１５】
シーケンス実行部１０は、試験シナリオに基づいて、移動体通信端末２に送るための第１のメッセージを生成する。また、シーケンス実行部１０は、移動体通信端末２からの第２のメッセージを受けて、試験シナリオのシーケンスを実行する。シーケンス実行部１０は、シナリオ処理部１００と、第１のメッセージ処理部１０１と、第２のメッセージ処理部１０２とを有する。
【００１６】
シナリオ処理部１００は、移動体通信端末２との通信条件及びメッセージの送受信の手順がシーケンスとして記述された試験シナリオを予め記憶する。シナリオ処理部１００は、試験シナリオに従って、第１のメッセージ処理部１０１を制御して移動体通信端末２に送るための第１のメッセージを生成させる。一方、シナリオ処理部１００は、第２のメッセージ処理部１０２から、先に送った第１のメッセージに対する移動体通信端末２からの返答である第２のメッセージを取得する。そして、さらに、移動体通信端末２からの返答のメッセージの次のステップのシーケンスのメッセージを第１のメッセージ処理部１０１に生成させる。このようにして、シナリオ処理部１００は、各シーケンスを実行させる。但し、以下の各構成要素の説明に当たっては、各シーケンスのうち上記の第１のメッセージと第２のメッセージとについてのシーケンス動作を中心に説明する。
【００１７】
第１のメッセージ処理部１０１は、シナリオ処理部１００の試験シナリオに従って、移動体通信端末２に送信すべき第１のメッセージを生成する。第１のメッセージ処理部１０１は、生成した第１のメッセージをレイヤ処理部１１に出力する。
【００１８】
レイヤ処理部１１は、第１のメッセージ処理部１０１からの第１のメッセージに規定の通信規格に対応した各レイヤの通信プロトコル処理を施し、当該処理が施された第１のメッセージを含む通信データを送受信部１２に送るとともに、送受信部１２からの第２のメッセージを含む通信データに規定の通信規格に対応した各レイヤの通信プロトコル処理を施し、当該処理が施された第２のメッセージを含む通信データを第２のメッセージ処理部１０２に送る。レイヤ処理部１１は、各レイヤで通信プロトコル処理を行う毎に、移動体通信端末２との通信条件及びメッセージ（第１のメッセージ又は第２のメッセージ）を含む通信データをログデータ処理部１３のログデータ生成部１３０に出力する。
【００１９】
送受信部１２は、移動体通信端末２に信号を送信し移動体通信端末２からの信号を受信する。送受信部１２（送信部）は、レイヤ処理部１１からの入力に符号化処理、変調処理及び周波数変換処理を施してＲＦ信号を生成し、移動体通信端末２に送信する。また、移動体通信端末２から受信したＲＦ信号に周波数変換処理、復調処理及び復号処理を施してレイヤ処理部１１に出力する。また、この受信したＲＦ信号に施す処理の過程で、送受信部１２（受信部）は、ＲＦ信号に周波数変換処理をした後にアナログデジタル変換を施したベースバンド信号を波形データとして波形データ記憶部１５に出力する。このとき、送受信部１２は、レイヤ処理部１１（その物理層）への出力（通信データ）と波形データ記憶部１５への出力とを同期させる。
【００２０】
第２のメッセージ処理部１０２は、レイヤ処理部１１から通信データを受けて第２のメッセージを取得する。第２のメッセージ処理部１０２は、取得した第２のメッセージをシナリオ処理部１００に送る。シナリオ処理部１００は、試験シナリオに沿って次のステップのシーケンスに係る指示を出す。なお、図１では、第１のメッセージ処理部１０１と第２のメッセージ処理部１０２とを分けて記載しているが、これらを一つの構成要素としてもよい。
【００２１】
ここで、第１のメッセージ処理部１０１と、レイヤ処理部１１と、送受信部１２と、第２のメッセージ処理部１０２とからなる一つのセットは、一つの疑似基地局として動作する。このセットは複数セット設けられてもよい。例えば二つのセットが設けられることによって、移動体通信端末試験装置１はハンドオーバ試験を行うことができる構成となる。
【００２２】
ログデータ処理部１３は、レイヤ処理部１１からの入力に後述の処理を施し、ログデータをログデータ記憶部１４に出力する。ログデータ処理部１３は、ログデータ生成部１３０と時刻生成部１３１とを有する。
【００２３】
ログデータ生成部１３０は、ログデータを生成する。図２は、ログデータ生成部１３０が生成するログデータのフォーマットの概略を表す模式図である。ログヘッダに含まれる情報のうち、送信元レイヤ、宛先レイヤ、チャネル情報、ＢＴＳ番号、プリミティブ名及びログデータ長は、ログデータ生成部１３０が通信データ（通信内容を含み、レイヤ処理部１１が扱うデータ）の送出元を識別する、又はログデータ生成部１３０が受けた通信データを解析する、あるいはレイヤ処理部１１から通信データとともにこれらの情報を送出してもらう、のいずれかの方式又はそれらの組み合わせにより、ログデータ生成部１３０がこれらの情報を取得する。ログデータ生成部１３０は、そのように取得された情報に、ＩＤ及び時刻情報をさらに付加してログヘッダを生成する。なお、ＩＤとは、例えば試験開始時からの追番である。チャネル情報とは、どの通信チャネルを用いた通信かを表す情報である。ＢＴＳ番号とは、試験装置が複数の疑似基地局を備える場合の識別を行うための情報である。プリミティブ名とは、各レイヤ間の設定命令を表す情報である。ログデータ生成部１３０は、生成したログヘッダを通信データ（ログ情報）に付加することによってログデータを生成する。ここでの時刻情報は、レイヤ処理部１１において、レイヤ毎に通信プロトコル処理が行われた時刻を表す情報である。
【００２４】
時刻生成部１３１は、時刻情報を生成する。時刻生成部１３１は、試験開始時からの経過時刻を時刻情報として生成する。また、時刻生成部１３１は、日常生活に用いられている時刻を時刻情報として生成してもよい。
【００２５】
ログデータ記憶部１４は、ログデータ生成部１３０によるログデータを時系列的に記憶する。このとき、ログデータ記憶部１４は、ログデータ生成部１３０からログデータを順次受け記憶する。
【００２６】
波形データ記憶部１５は、送受信部１２からの波形データを時系列的に記憶する。このとき、波形データ記憶部１５は、時刻生成部１３１から時刻情報を受けその時刻情報を波形データに付加して波形データを記憶する。また、波形データ記憶部１５は、一定の時間間隔（送受信部１２に含まれるＡ／Ｄ変換器のサンプリング周期）でサンプリングされた波形データを取得する毎にアドレスをインクリメントして波形データを順次記憶してもよい。なお、時刻情報として日常生活に用いられている時刻が採用されている場合、波形データ記憶部１５は、例えば先頭アドレスに試験開始時刻を記憶する。
【００２７】
解析条件設定部１６０は、波形データを解析するための解析条件を設定する。例えば解析条件設定部１６０は、ログデータ記憶部１４に記憶されたログデータの通信データから移動体通信端末２との通信条件を読み出して、読み出した通信条件に含まれる使用帯域情報、信号レベル情報及び変調方式情報の少なくとも一つを参照して解析条件を設定する。また、解析条件設定部１６０は、操作部１９を介する試験者による入力を受けて解析条件を設定してもよい。ここでは、解析条件設定部１６０は、例えば、通信条件として、使用周波数Ｆ０、使用帯域ΔＦ、信号レベルＬ及び変調方式情報ＱＰＳＫを読み出し、解析範囲をＦ１（＜Ｆ０−ΔＦ／２）からＦ２（＞Ｆ０＋ΔＦ／２）まで設定する。なお、解析範囲である周波数Ｆ１〜Ｆ２は、使用帯域ΔＦ外でのスプリアスを検出できるようにΔＦに対して予め決めた値を設定できるようにしておく（手動設定でもよい）。
【００２８】
基準値設定部１６１は、波形データの異常の有無を判断するための基準値を設定する。例えば基準値設定部１６１は、ログデータ記憶部１４に記憶されたログデータの通信データから移動体通信端末２との通信条件を読み出して、読み出した通信条件に含まれる使用帯域情報、信号レベル情報及び変調方式情報の少なくとも一つを参照して基準値を設定する。また、基準値設定部１６１は、解析条件設定部１６０が設定した解析条件を参照して基準値を設定してもよい。また、基準値設定部１６１は、操作部１９を介する試験者による入力を受けて解析条件を設定してもよい。ここでは、基準値設定部１６１は、例えば、通信条件として、使用周波数Ｆ０、使用帯域ΔＦ、信号レベルＬ及び変調方式情報ＱＰＳＫを読み出し、スプリアス検出の基準値としての検出レベルＲ、信号レベル測定の基準値としての許容値Δｈ及びＥＶＭ測定の基準値を設定する。なお、基準値設定部１６１は、読み出した信号レベル情報に信号レベルＬそのもののみが記述されているとき、操作部１９から入力された、あるいは予め記憶しておいた許容値Δｈを基に、Ｌ−Δｈ／２〜Ｌ＋Δｈ／２として信号レベルＬの許容範囲を設定してもよい（図３の表示例を参照）。
【００２９】
波形データ解析部１６は、解析条件設定部１６０と、基準値設定部１６１と、時刻特定部１６２とを有する。波形データ解析部１６は、波形データ記憶部１５に記憶された波形データを読み出し、読み出した波形データを解析（スプリアス検出、信号レベル測定、ＥＶＭ測定等）する。波形データ解析部１６は、解析結果を解析条件設定部１６０で設定された条件で波形データ解析結果表示処理部１７１に出力する。波形データ解析部１６は、解析条件設定部１６０により設定された解析条件及び基準値設定部１６１により設定された基準値を受け、受けた解析条件及び基準値に対応する解析を行う。例えば、波形データ解析部１６は、スプリアス検出の解析条件及び基準値として使用周波数Ｆ０、使用帯域ΔＦ及び検出レベルＲを受けたとき、波形データ記憶部１５から読み出した波形データの使用帯域ΔＦをマスクしてＦＦＴ（Ｆａｓｔ  Ｆｏｕｒｉｅｒ  Ｔｒａｎｓｆｏｒｍ）処理を施す（つまり、スペクトラム解析する）。波形データ解析部１６は、マスクされた使用帯域ΔＦの外の周波数帯おいて検出レベルＲを超えた信号があったとき、その信号を検出し異常有りと判断する。また、波形データ解析部１６は、信号レベル測定の解析条件及び基準値として使用周波数Ｆ０、使用帯域ΔＦ、信号レベルＬ及び許容値Δｈを受けたとき、波形データ記憶部１５から読み出した波形データにＦＦＴ処理を施す。波形データ解析部１６は、許容値Δｈを超えた信号があったとき、その波形データに異常が有ると判断する。波形データ解析部１６は、これら解析結果をＦ１（＜Ｆ０−ΔＦ／２）からＦ２（＞Ｆ０＋ΔＦ／２）までを横軸、その信号レベルＬを縦軸として表示させるとともに、使用帯域ΔＦの範囲を表示させるように波形データ解析結果表示処理部１７１に出力する。解析範囲である周波数Ｆ１〜Ｆ２は、使用帯域ΔＦ外での波形を確認できるように使用帯域ΔＦに対して予め決めた値を設定できるようにしておく（手動設定でもよい）。また、波形データ解析部１６は、ＥＶＭ測定の解析条件としての変調方式情報及びその基準値を受けたとき、波形データ記憶部１５から読み出した波形データと変調方式とに基づく位相及び振幅を求め、求めた位相及び振幅と理想的な位相及び振幅との差異を表す誤差ベクトルの絶対値を、理想的な振幅の絶対値で割ることによってＥＶＭを求める。波形データ解析部１６は、求めたＥＶＭが基準値を超えたとき、当該波形データに異常が有ると判断する。ここで、理想的な位相及び振幅は、変調方式によって定められるものであり、波形データ解析部１６が解析条件設定部１６０から受ける解析条件に含まれる。また、波形データ解析部１６は、求めた位相及び振幅をＩ軸（横軸）及びＱ軸（縦軸）からなるコンスタレーション・ダイヤグラムに、位相を偏角として、振幅を原点からの距離として表示させるとともに、求めたＥＶＭを表示させるように解析結果を波形データ解析結果表示処理部１７１に出力する。
【００３０】
時刻特定部１６２は、波形データ解析部１６が波形データに異常が有ると判断したとき、その判断結果を受け、あるいは、試験者が操作部１９を介して指示したとき、当該波形データの時刻を特定する。このとき、例えば時刻特定部１６２は、波形データ記憶部１５の当該波形データが記憶されているアドレスを参照して時刻情報を読み出すことによって時刻を特定する。また、時刻特定部１６２は、送受信部１２からＰＨＹ層に信号が到達するまでの時間と波形データ記憶部１５が波形データを送受信部１２から受けて記憶するまでの時間とに時間ずれ（タイムラグ）が生じる場合、このタイムラグを予め記憶し、波形データ記憶部１５のアドレスの時刻情報にこのタイムラグを加えた時刻を特定してもよい。時刻特定部１６２は、特定した時刻を上位レイヤログデータ特定部１７００に出力する。
【００３１】
表示処理部１７は、ログデータ表示画面及び波形データ解析結果表示画面を生成する。図３は、ログデータ表示画面及び波形データ解析結果表示画面の概略を表す模式図である。表示処理部１７は、生成したログデータ表示画面及び波形データ解析結果表示画面を表示部１８に表示させる。
【００３２】
ログデータ表示処理部１７０は、例えば、図３に示すようなログデータ表示画面を生成する。図３においてログデータ表示画面は、ログヘッダ表示エリアＡ１と、通信データ表示エリアＡ２とを含む。ログヘッダ表示エリアＡ１は、ログヘッダに含まれる情報が時系列的に並べて表示されるエリアである。ログヘッダ表示エリアＡ１は、ＩＤエリアＡ１０と、レイヤエリアＡ１１と、プリミティブ名エリアＡ１２と、ＢＴＳ番号エリアＡ１３と、チャネル情報エリアＡ１４と、時刻情報エリアＡ１５とを有する。ログデータ表示処理部１７０は、ログデータ記憶部１４によるログデータのログヘッダから、ＩＤ、送信元レイヤ、宛先レイヤ、チャネル情報、ＢＴＳ番号、プリミティブ名及び時刻情報を読み出す。ログデータ表示処理部１７０は、ＩＤエリアＡ１０に読み出したＩＤを、プリミティブ名エリアＡ１２に読み出したプリミティブ名を、ＢＴＳ番号エリアＡ１３に読み出したＢＴＳ番号を、チャネル情報エリアＡ１４に読み出したチャネル情報を、時刻情報エリアＡ１５に読み出した時刻情報を表示するようにログヘッダ表示エリアＡ１内の各情報を生成する。また、ログデータ表示処理部１７０は、読み出した送信元レイヤ及び宛先レイヤに基づいて、どのレイヤ間におけるどちらの方向（ダウンリンク又はアップリンク）かを表す矢印をレイヤエリアＡ１１に表示させる。
【００３３】
通信データ表示エリアＡ２は、通信データに含まれる情報が表示されるエリアである。通信データ表示エリアＡ２は、メッセージ名エリアＡ２０と、テキストエリアＡ２１と、バイナリエリアＡ２２とを有する。ログデータ表示処理部１７０は、ログデータの通信データ（図２参照）から、メッセージ（第１のメッセージ又は第２のメッセージ）の名称を読み出し、メッセージ名エリアＡ２０に表示させる。また、ログデータ表示処理部１７０は、ログデータの通信データを読み出す。ログデータ表示処理部１７０は、読み出した通信データをテキストエリアＡ２１にテキスト表示させる。また、ログデータ表示処理部１７０は、読み出した通信データをバイナリエリアＡ２２にバイナリ表示させる。
【００３４】
また、ログデータ表示処理部１７０は、上位レイヤログデータ特定部１７００を有する。上位レイヤログデータ特定部１７００は、時刻特定部１６２が特定した時刻を受け、その時刻に対応する最下層レイヤのログデータをログデータ記憶部１４から読み出す。上位レイヤログデータ特定部１７００は、読み出した最下層レイヤのログデータの通信データを解析し、その通信データに含まれるメッセージが同一のログデータを上位レイヤ（ＰＨＹ層以外の層）のうちから検索する。例えば、上位レイヤログデータ特定部１７００は、最下層レイヤのログデータとしてＩＤ３０１のログデータを読み出したとき、このログデータのメッセージ名エリアＡ２０のメッセージ名「ｈｉｊｋｌｍｎ」を参照する。上位レイヤログデータ特定部１７００は、アップリンクのログデータを検索し、メッセージ名「ｈｉｊｋｌｍｎ」を含むＭＡＣ−ＲＬＣ間のログデータ（ＩＤ３０２）と、ＲＬＣ−ＰＤＣＰ間のログデータ（ＩＤ３０３）と、ＰＤＣＰ−ＲＲＣ間のログデータ（ＩＤ３０４及びＩＤ３０６）とを上位レイヤのログデータとする。通常、通信データには各レイヤで施された処理内容がメッセージに追加されて記述されている。従って、最下層レイヤのログデータと、該ログデータに対応する上位レイヤのログデータとは、同一のメッセージを含む。それにより、上位レイヤログデータ特定部１７００は、最下層レイヤのログデータの通信データに含まれるメッセージ名と同一のメッセージ名を含む上位レイヤのログデータを検索することによって、最下層レイヤのログデータに対応する上位レイヤのログデータを特定することができる。上述したように、上位レイヤログデータ特定部１７００は、時刻特定部１６２が特定した時刻に対応する最下層レイヤのログデータを読み出し、その最下層レイヤのログデータに対応する上位レイヤのログデータを特定する。従って、上位レイヤログデータ特定部１７００は、波形データ解析部１６が異常有りと判断した波形データに対応するログデータを最下層レイヤ及び上位レイヤについて特定することができる。また、表示処理部１７は、波形データ解析部１６により異常を有すると判断された波形データに対応するログデータを他のログデータとマーカ等で識別表示する。図３の▲印は、表示処理部１７により生成されたマーカであって、ＩＤ３０１、ＩＤ３０２、ＩＤ３０３、ＩＤ３０４及びＩＤ３０６のログデータが異常を有すると判断された波形データに関連するログデータであることを示す。
【００３５】
ここで、時刻特定部１６２が異常有りと判断された波形データの時刻を特定し、上位レイヤログデータ特定部１７００が、時刻特定部１６２が特定した時刻に対応する最下層レイヤのログデータを読み出し該ログデータに対応する上位レイヤのログデータを特定する理由について説明する。波形データと最下層のログデータと波形データとは時刻情報によって対応付けすることができる。しかしながら、上位レイヤ（最下層レイヤ以外のレイヤ）のログデータの時刻情報は、各レイヤ処理でのタイムラグによって最下層レイヤのログデータよりも遅い時刻情報となることがある。さらに、各レイヤ処理でのタイムラグは不定である（受信によってタイムラグが異なる）。従って、波形データの時刻に対応する時刻情報を有する上位レイヤのログデータを読み出しても、当該波形データに対応する上位レイヤのログデータを読み出したことにならない。このことから、まず波形データの時刻に対応する時刻情報を有する最下層レイヤのログデータを読み出し、そして該ログデータと同一のメッセージを有する上位レイヤのログデータを特定する。それにより、波形データに対応する最下層レイヤ及び上位レイヤについてのログデータを特定することができる。
【００３６】
表示部１８は、表示処理部１７からの入力を受け、ログデータ表示画面及び波形データ解析結果表示画面を表示する。表示部１８は、例えば液晶ディスプレイで構成される。
【００３７】
操作部１９は、シナリオ処理部１００への試験開始指示を行う。また、操作部１９は、波形データ解析部１６が波形データを解析するための解析条件及び基準値を指定してもよい。操作部１９は、試験者によって操作される。操作部１９は、例えばマウス、キーボード、タッチパネル、ボタン等によって構成される。
【００３８】
［動作］
図４〜図１０は、この実施形態の移動体通信端末試験装置１の動作を表すフローチャートである。
【００３９】
（Ｓ１）
移動体通信端末試験装置１は、シナリオ処理部１００による試験シナリオに従って、移動体通信端末２との通信を行う。時刻生成部１３１は、通信の開始を受けて、試験開始時刻を零として、又は、日常生活に用いられている時刻を試験開始時刻として波形データ記憶部１５に出力する。時刻生成部１３１は、以後の時刻を計数する。
【００４０】
（Ｓ２）
波形データ記憶部１５は、送受信部１２からの波形データを時刻に沿って記憶する。波形データ記憶部１５の動作を図５のフローチャートに示す。
【００４１】
（Ｓ２１、Ｓ２２）
時刻生成部１３１から受けた試験開始時刻が零でないとき、波形データ記憶部１５は、試験開始時刻を記憶する。試験開始時刻が零であるとき、ステップＳ２３に進む。
【００４２】
（Ｓ２３）
波形データ記憶部１５は、一定の時間間隔（サンプリングレート）毎にアドレスをインクリメントして送受信部１２からの波形データを順次記憶する。以上で図５に示す動作を終了し、図４のステップＳ３に進む。
【００４３】
（Ｓ３）
ログデータ記憶部１４は、ログデータ生成部１３０から各レイヤ処理のログデータを受けて時刻に沿って記憶する。
【００４４】
（Ｓ４）
解析条件設定部１６０は、波形データを解析するための解析条件を設定する。また、基準値設定部１６１は、波形データの異常の有無を判断するための基準値を設定する。解析条件設定部１６０及び基準値設定部１６１の動作を図６のフローチャートに示す。
【００４５】
（Ｓ４１、Ｓ４２）
解析条件設定部１６０は、スプリアス検出の解析条件を設定するとき、ログデータ記憶部１４に記憶されたログデータの通信データから移動体通信端末２との通信条件を読み出して、読み出した通信条件に含まれる使用帯域情報を取得する。解析条件設定部１６０は、取得した使用帯域情報に基づいて周波数の解析範囲を設定する。なお、スプリアス検出の解析条件を設定しないときはステップＳ４４に進む。
【００４６】
（Ｓ４３）
基準値設定部１６１は、ログデータ記憶部１４に記憶されたログデータの通信データから移動体通信端末２との通信条件を読み出して、読み出した通信条件に含まれる信号レベル情報を取得する。基準値設定部１６１は、取得した信号レベル情報に基づいて検出レベルＲを設定する。
【００４７】
（Ｓ４４、Ｓ４５）
解析条件設定部１６０は、信号レベル測定の解析条件を設定するとき、ログデータ記憶部１４に記憶されたログデータの通信データから移動体通信端末２との通信条件を読み出して、読み出した通信条件に含まれる信号レベル情報を取得する。解析条件設定部１６０は、取得した信号レベル情報に基づいて信号レベルの解析範囲を設定する。なお、信号レベル測定の解析条件を設定しないときはステップＳ４７に進む。
【００４８】
（Ｓ４６）
基準値設定部１６１は、ログデータ記憶部１４に記憶されたログデータの通信データから移動体通信端末２との通信条件を読み出して、読み出した通信条件に含まれる信号レベル情報を取得する。基準値設定部１６１は、取得した信号レベル情報に基づいて許容値Δｈを設定する。
【００４９】
（Ｓ４７、４８）
解析条件設定部１６０は、ＥＶＭ測定の解析条件を設定するとき、ログデータ記憶部１４に記憶されたログデータの通信データから移動体通信端末２との通信条件を読み出して、読み出した通信条件に含まれる変調方式情報を取得する。解析条件設定部１６０は、取得した変調方式情報に基づいてコンスタレーション・ダイヤグラムにおける理想値（位相及び振幅）を設定する。なお、ＥＶＭ測定の解析条件を設定しないときは図４のステップＳ５に進む。
【００５０】
（Ｓ４９）
基準値設定部１６１は、ログデータ記憶部１４に記憶されたログデータの通信データから移動体通信端末２との通信条件を読み出して、読み出した通信条件に含まれる変調方式情報を取得する。基準値設定部１６１は、取得した変調方式情報に基づいてＥＶＭ測定の基準値を設定する。以上で図６に示す動作を終了し、図４のステップ５に進む。
【００５１】
（Ｓ５）
波形データ解析部１６は、波形データ記憶部１５に記憶された波形データを読み出し、読み出した波形データを解析する。波形データ解析部１６の動作を図７のフローチャートに示す。
【００５２】
（Ｓ５１、Ｓ５２）
波形データ解析部１６は、スプリアス検出又は信号レベル測定を行うとき、波形データ記憶部１５から読み出した波形データにＦＦＴ処理を施す。なお、スプリアス検出又は信号レベル測定を行わないとき、ステップＳ５７に進む。
【００５３】
（Ｓ５３、Ｓ５４）
波形データ解析部１６がスプリアス検出を行うときの動作を図８に示す。なお、波形データ解析部１６がスプリアス検出を行わないとき、ステップＳ５５に進む。
【００５４】
（Ｓ５４１）
波形データ解析部１６は、解析条件設定部１６０から使用周波数Ｆ０及び使用帯域ΔＦを受け、ＦＦＴ処理された（周波数ドメインとなった）波形データの使用帯域ΔＦの部分をマスクする。
【００５５】
（Ｓ５４２）
波形データ解析部１６は、基準値設定部１６１から検出レベルＲを受け、マスクされた使用帯域ΔＦの外の周波数帯での信号レベルと検出レベルＲとを比較する。
【００５６】
（Ｓ５４３、Ｓ５４４）
波形データ解析部１６は、比較の結果、検出レベルＲを超えた信号があったとき、波形データに異常が有ると判断する。時刻特定部１６２は、この判断結果を受け、当該波形データの時刻を特定する。以上で図８に示す動作を終了し、図７のステップＳ５５に進む。
【００５７】
（Ｓ５５、Ｓ５６）
波形データ解析部１６が信号レベル測定を行うときの動作を図９に示す。なお、波形データ解析部１６が信号レベル測定を行わないとき、ステップＳ５７に進む。
【００５８】
（Ｓ５６１）
波形データ解析部１６は、基準値設定部１６１から許容値Δｈを受け、波形データの信号レベルと許容値Δｈとを比較する。
【００５９】
（Ｓ５６２、Ｓ５６３）
波形データ解析部１６は、比較の結果、許容値Δｈを超えた信号があったとき、波形データに異常が有ると判断する。時刻特定部１６２は、この判断結果を受け、当該波形データの時刻を特定する。以上で図９に示す動作を終了し、図７のステップＳ５７に進む。
【００６０】
（Ｓ５７、Ｓ５８）
波形データ解析部１６がＥＶＭ測定を行うときの動作を図１０に示す。なお、波形データ解析部１６がＥＶＭ測定を行わないとき、図４のステップＳ６に進む。
【００６１】
（Ｓ５８１）
波形データ解析部１６は、解析条件設定部１６０から変調方式情報を解析条件として受け、波形データ記憶部１５から波形データを読み出し、読み出した波形データと変調方式とに基づく位相及び振幅を求める。
【００６２】
（Ｓ５８２）
波形データ解析部１６は、変調方式情報に基づいて理想的な位相及び振幅を求め、求めた波形データの位相及び振幅と理想的な位相及び振幅との差異を表す誤差ベクトルの絶対値を、理想的な振幅の絶対値で割ることによってＥＶＭを求める。
【００６３】
（Ｓ５８３）
波形データ解析部１６は、基準値設定部１６１からＥＶＭ測定の基準値を受け、求めたＥＶＭと受けた基準値とを比較する
【００６４】
（Ｓ５８４、Ｓ５８５）
波形データ解析部１６は、比較の結果、ＥＶＭ測定の基準値を超えたＥＶＭがあったとき、波形データに異常が有ると判断する。時刻特定部１６２は、この判断結果を受け、当該波形データの時刻を特定する。以上で図１０に示す動作を終了し、図４のステップＳ６に進む。
【００６５】
（Ｓ６）
上位レイヤログデータ特定部１７００は、時刻特定部１６２から特定された時刻を受け、その時刻に対応する最下層レイヤのログデータをログデータ記憶部１４から読み出す。
【００６６】
（Ｓ７）
上位レイヤログデータ特定部１７００は、読み出した最下層レイヤのログデータの通信データを解析し、その通信データに含まれるメッセージが同一のログデータを上位レイヤ（ＰＨＹ層以外の層）のうちから検索する。上位レイヤログデータ特定部１７００は、検索した上位レイヤのログデータを最下層レイヤのログデータに対応する上位レイヤのログデータとして特定する。
【００６７】
（Ｓ８）
表示処理部１７は、波形データ解析部１６による解析結果と上位レイヤログデータ特定部１７００により特定されたログデータを他のログデータとともに表示部１８に表示させる。
【００６８】
（Ｓ９）
表示処理部１７は、表示部１８に、上位レイヤログデータ特定部１７００により特定されたログデータをマーカ等により他のログデータと識別表示させる。
【００６９】
なお、ステップＳ８，Ｓ９について、表示処理部１７は、ステップＳ６で読み出した最下層レイヤのログデータ及びステップＳ７で特定された上位レイヤのログデータのみを表示（他のログデータは表示しない）するようにしてもよい。
【００７０】
［効果］
このように、移動体通信端末試験装置１は、波形データ及びログデータを時系列的に記憶し、波形データを解析して異常有りと判断された波形データに対応するログデータを特定し、波形データの解析結果と当該波形データに対応するログデータとをともに表示する。それにより、容易に波形データに対応するログデータを特定し、対比可能に表示することができる移動体通信端末試験装置を提供することができる。
【符号の説明】
【００７１】
１      移動体通信端末試験装置
２      移動体通信端末
１０    シーケンス実行部
１１    レイヤ処理部
１２    送受信部
１３    ログデータ処理部
１４    ログデータ記憶部
１５    波形データ記憶部
１６    波形データ解析部
１７    表示処理部
１８    表示部
１９    操作部
１００  シナリオ処理部
１０１  第１のメッセージ処理部
１０２  第２のメッセージ処理部
１３０  ログデータ生成部
１３１  時刻生成部
１６０  解析条件設定部
１６１  基準値設定部
１６２  時刻特定部
１７０  ログデータ表示処理部
１７１  波形データ解析結果表示処理部
１７００  上位レイヤログデータ特定部
Ａ１    ログヘッダ表示エリア
Ａ２    通信データ表示エリア
Ａ１０  ＩＤエリア
Ａ１１  レイヤエリア
Ａ１２  プリミティブ名エリア
Ａ１３  ＢＴＳ番号エリア
Ａ１４  チャネル情報エリア
Ａ１５  時刻情報エリア
Ａ２０  メッセージ名エリア
Ａ２１  テキストエリア
Ａ２２  バイナリエリア
Ｆ０    使用周波数
Ｌ      信号レベル
Ｒ      検出レベル
ΔＦ    使用帯域
Δｈ    許容値
【図１】
0005647206.tif 000002
【図２】
0005647206.tif 000003
【図３】
0005647206.tif 000004
【図４】
0005647206.tif 000005
【図５】
0005647206.tif 000006
【図６】
0005647206.tif 000007
【図７】
0005647206.tif 000008
【図８】
0005647206.tif 000009
【図９】
0005647206.tif 000010
【図１０】
0005647206.tif 000011